(57)【要約】【課題】  不正行為により回動体に外力が加えられて入賞率が相対的に低くなる位置から高くなる位置に強制的に回動されても、遊技球の入賞を阻止して賞球の不正な獲得を防止することができ、また入賞率の高低変化に寄与することによって遊技に対する興趣を高めることも可能な規制体を有する遊技機用可変入賞装置と、それを用いた遊技機を提供する。【解決手段】  入賞口７の開口態様を変更する回動体１０とその入賞口７への入賞を規制する規制体４０とが組み込まれるとともに、規制体４０の移動を阻止する阻止手段が設けられている。【選択図】図３
2008132048.tif 000002
【特許請求の範囲】
【請求項１】
遊技機の遊技盤に固定され、その遊技盤上の遊技球を受け入れるための入賞口を有する遊技機用可変入賞装置であって、
前記遊技盤に対して回動軸線周りに回動可能に取り付けられ、前記入賞口の開口態様を変更するために、遊技球の入賞率が相対的に低くなる第一位置とその入賞率が相対的に高くなる第二位置との間で回動する回動体と、
それら入賞口及び回動体に対して遊技球の流下方向上手側に配置され、前記回動体によって開口態様を変更された入賞口への入賞を規制するために、前記入賞口を覆う第一規制位置とその入賞口を露出させる第二規制位置との間を移動する規制体と、
前記回動体が前記第一位置にあり、かつ前記規制体が前記第一規制位置にあって遊技球の入賞が最も困難な状態において、前記回動体を前記第一位置から第二位置側へ強制的に回動させるための外力が加えられたとき、前記回動体が前記第二位置へ回動した場合であっても、前記規制体が前記第二規制位置に達しないようにその規制体の移動を阻止する阻止手段と、
を備えることを特徴とする遊技機用可変入賞装置。
【請求項２】
遊技機の遊技盤に固定され、その遊技盤上の遊技球を受け入れるための入賞口を有する遊技機用可変入賞装置であって、
前記遊技盤と交差する一対の平行な回動軸線周りに回動可能に取り付けられ、前記入賞口の開口態様を変更するために、遊技球の入賞率が相対的に低くなる第一位置とその入賞率が相対的に高くなる第二位置との間で回動する一対の回動体と、
その一対の回動体を前記第一位置と第二位置との間で同時に回動させるための回動体アクチュエータと、
その回動体アクチュエータの移動を各回動体に伝達する回動体伝動機構と、
前記入賞口及び一対の回動体の上方に配置され、前記一対の回動体によって開口態様が変更された入賞口への入賞を規制するために、前記入賞口を覆う第一規制位置とその入賞口を露出させる第二規制位置との間を前記遊技盤と交差する方向に直線的に移動する規制体と、
前記一対の回動体が前記第一位置にあり、かつ前記規制体が前記第一規制位置にあって遊技球の入賞が最も困難な状態において、前記一対の回動体を前記第一位置から第二位置側へ強制的に回動させるための外力が加えられたとき、前記一対の回動体が前記回動体アクチュエータの駆動部を変位させて前記第二位置へ回動した場合であっても、前記規制体が前記第二規制位置に達しないようにその規制体の移動を阻止する阻止手段と、
を備えることを特徴とする遊技機用可変入賞装置。
【請求項３】
遊技機の遊技盤に固定され、その遊技盤上の遊技球を受け入れるための入賞口を有する遊技機用可変入賞装置であって、
前記遊技盤と交差する一対の平行な回動軸線周りに回動可能に取り付けられ、前記入賞口の開口態様を変更するために、遊技球の入賞率が相対的に低くなる第一位置とその入賞率が相対的に高くなる第二位置との間で回動する一対の回動体と、
その一対の回動体を前記第一位置と第二位置との間で同時に回動させるために、直線的に変位する駆動部を有する回動体アクチュエータと、
その回動体アクチュエータの駆動部の直線的な移動を各回動体の回転移動に変換して伝達する回動体伝動機構と、
前記入賞口及び一対の回動体の上方に配置され、前記一対の回動体によって開口態様が変更された入賞口への入賞を規制するために、前記入賞口を覆う第一規制位置とその入賞口を露出させる第二規制位置との間を前記遊技盤と交差する方向に直線的に移動する規制体と、
その規制体を前記第一規制位置と第二規制位置との間で、前記一対の回動体とは独立して移動させるための規制体アクチュエータと、
その規制体アクチュエータの駆動力を前記規制体に伝達する規制体伝動機構とを備え、
前記一対の回動体が前記第一位置にあり、かつ前記規制体が前記第一規制位置にあって遊技球の入賞が最も困難な状態において、前記一対の回動体を前記第一位置から第二位置側へ強制的に回動させるための外力が加えられたとき、前記一対の回動体が前記回動体アクチュエータの駆動部を変位させて前記第二位置へ回動した場合であっても、前記規制体が前記第二規制位置に達しないように、前記規制体アクチュエータ及び／又は規制体伝動機構が、その規制体の移動を阻止する阻止手段を構成することを特徴とする遊技機用可変入賞装置。
【請求項４】
遊技機の遊技盤に固定され、その遊技盤上の遊技球を受け入れるための入賞口を有する遊技機用可変入賞装置であって、
前記遊技盤と交差する一対の平行な回動軸線周りに回動可能に取り付けられ、前記入賞口の開口態様を変更するために、遊技球の入賞率が相対的に低くなる第一位置とその入賞率が相対的に高くなる第二位置との間で回動する一対の回動体と、
その一対の回動体を前記第一位置と第二位置との間で同時に回動させるために、直線的に変位する駆動部を有する回動体アクチュエータと、
その回動体アクチュエータの駆動部の直線的な移動を各回動体の回転移動に変換して伝達する回動体伝動機構と、
前記入賞口及び一対の回動体の上方に配置され、前記一対の回動体によって開口態様が変更された入賞口への入賞を規制するために、前記入賞口を覆う第一規制位置とその入賞口を露出させる第二規制位置との間を前記遊技盤と交差する方向に直線的に移動する規制体と、
前記回動体アクチュエータの駆動部の直線的な移動を、その駆動部と平行な面内において前記規制体が前記第一規制位置と第二規制位置との間で直線的に移動するように、相互に連動させて伝達する規制体連動機構とを備え、
前記一対の回動体が前記第一位置にあり、かつ前記規制体が前記第一規制位置にあって遊技球の入賞が最も困難な状態において、前記一対の回動体を前記第一位置から第二位置側へ強制的に回動させるための外力が加えられたとき、前記一対の回動体が前記回動体アクチュエータの駆動部を変位させて前記第二位置へ回動した場合であっても、前記規制体が前記第二規制位置に達する前に、前記回動体伝動機構に対向配置された停止部が前記回動体伝動機構及び規制体連動機構の移動を停止することにより、その停止部は前記規制体の移動を阻止する阻止手段を構成することを特徴とする遊技機用可変入賞装置。
【請求項５】
前記規制体は、前記第一位置において一対の回動体によって形成される入賞口の遊技球最大受入幅と等価な幅寸法を有するとともに、前記第一規制位置において前記遊技盤から突出し、前記第一位置における遊技球最大受入幅にわたり前記入賞口を閉鎖して遊技球の入賞を阻止可能である請求項２ないし４のいずれか１項に記載の遊技機用可変入賞装置。
【請求項６】
前記遊技盤に直交する方向から見て前記規制体及び一対の回動体と重なり合う形で、透光性のガード板が前記入賞口を覆うようにかつ前記一対の回動体に近接して配置されている請求項２ないし５のいずれか１項に記載の遊技機用可変入賞装置。
【請求項７】
請求項１ないし６のいずれか１項に記載の遊技機用可変入賞装置が前記遊技盤に固定配置されたことを特徴とする遊技機。
【発明の詳細な説明】
【技術分野】
【０００１】
本発明は、遊技機用可変入賞装置及び遊技機に関する。
【背景技術】
【０００２】
従来より、例えば電動チューリップと称される遊技機用可変入賞装置では、一対の回動翼片（いわゆるチューリップ；回動体）が伝動アーム等の伝動機構を介してソレノイド等のアクチュエータに連結され、アクチュエータの駆動力によって開閉作動する。そして、このような入賞装置の機能は、一対の回動翼片間に形成される入賞口、或いは別の入賞口に遊技球が入球したことに起因して、例えば大当たりとなり回動翼片が開放されると、その回動翼片の間に位置する入賞口に球が入りやすくなる（入賞率が相対的に高くなる）ことである。このように、回動翼片の開閉に伴って入賞率が変動するので、払い出される賞球数（出玉数）も変動する。
【０００３】
見方を変えると、入賞装置は賞球払出に直接関与するために不正行為（通称ゴト行為）の標的となり易い。例えば、遊技機内に針金等の異物を挿入し回動翼片を強制的に開放位置に移動する不正行為によって、大量の賞球が不正に獲得されるおそれがある。
【０００４】
ところで、特許文献１には、固定状の球受凹部（入賞口）の上方において、遊技盤から屋根状に突出して入賞を阻止する状態（第２状態）と、遊技盤側に後退して入賞を可能とする状態（第１状態）とに移動可能な可動部材（覆い）を設けることが開示されている。また、特許文献２には、常時回転する回転体の球受凹部（入賞口）の周囲において、遊技盤から突出して入賞を阻止する状態（突出状態）と、遊技盤側に後退して入賞を可能とする状態（退避状態）とに移動可能な遮蔽部材を設けることが開示されている。
【特許文献１】特開２００３−３２００９８号公報
【特許文献２】特開２００４−１４１２１４号公報
【発明の開示】
【発明が解決しようとする課題】
【０００５】
例えば、大当たり状態（特定利益状態）において可動部材（遮蔽部材）を第１状態（退避状態）に位置させ、非大当たり状態（非特定利益状態）において第２状態（突出状態）に位置させることによって、遊技に対する興趣を維持したり（特許文献１）、不適切な遊技方法を防止したり（特許文献２）することができる。ところが、このような可動部材（遮蔽部材）を、仮に電動チューリップのように開閉式の入賞口を有する入賞装置に設けたとしても、上記したような不正行為によって回動翼片等の開閉部材（回動体）が強制的に開放位置に移動されて、大量の賞球が不正に獲得される可能性（危険性）は依然として解決できていない。
【０００６】
本発明の課題は、不正行為により回動体に外力が加えられて入賞率が相対的に低くなる位置から高くなる位置に強制的に回動されても、遊技球の入賞を阻止して賞球の不正な獲得を防止することができ、また入賞率の高低変化に寄与することによって遊技に対する興趣を高めることも可能な規制体を有する遊技機用可変入賞装置と、それを用いた遊技機を提供することである。
【課題を解決するための手段及び発明の効果】
【０００７】
上記課題を解決するために、本発明の遊技機用可変入賞装置は、
遊技機の遊技盤に固定され、その遊技盤上の遊技球を受け入れるための入賞口を有する遊技機用可変入賞装置であって、
遊技盤に対して回動軸線周りに回動可能に取り付けられ、入賞口の開口態様を変更するために、遊技球の入賞率が相対的に低くなる第一位置とその入賞率が相対的に高くなる第二位置との間で回動する回動体と、
それら入賞口及び回動体に対して遊技球の流下方向上手側に配置され、回動体によって開口態様を変更された入賞口への入賞を規制するために、入賞口を覆う第一規制位置とその入賞口を露出させる第二規制位置との間を移動する規制体と、
回動体が第一位置にあり、かつ規制体が第一規制位置にあって遊技球の入賞が最も困難な状態において、回動体を第一位置から第二位置側へ強制的に回動させるための外力が加えられたとき、回動体が第二位置へ回動した場合であっても、規制体が第二規制位置に達しないようにその規制体の移動を阻止する阻止手段と、
を備えることを特徴とする。
【０００８】
また、上記課題を解決するために、本発明の遊技機用可変入賞装置は、
遊技機の遊技盤に固定され、その遊技盤上の遊技球を受け入れるための入賞口を有する遊技機用可変入賞装置であって、
遊技盤と交差する一対の平行な回動軸線周りに回動可能に取り付けられ、入賞口の開口態様を変更するために、遊技球の入賞率が相対的に低くなる第一位置とその入賞率が相対的に高くなる第二位置との間で回動する一対の回動体と、
その一対の回動体を第一位置と第二位置との間で同時に回動させるために、直線的に変位する駆動部を有する回動体アクチュエータと、
その回動体アクチュエータの駆動部の直線的な移動を各回動体の回転移動に変換して伝達する回動体伝動機構と、
入賞口及び一対の回動体の上方に配置され、一対の回動体によって開口態様が変更された入賞口への入賞を規制するために、入賞口を覆う第一規制位置とその入賞口を露出させる第二規制位置との間を遊技盤と交差する方向に直線的に移動する規制体と、
一対の回動体が第一位置にあり、かつ規制体が第一規制位置にあって遊技球の入賞が最も困難な状態において、一対の回動体を第一位置から第二位置側へ強制的に回動させるための外力が加えられたとき、一対の回動体が回動体アクチュエータの駆動部を変位させて第二位置へ回動した場合であっても、規制体が第二規制位置に達しないようにその規制体の移動を阻止する阻止手段と、
を備えることを特徴とする。
【０００９】
これらの遊技機用可変入賞装置には、入賞口の開口態様を変更する（例えば一対の）回動体とその入賞口への入賞を規制する規制体とが組み込まれるとともに、規制体の移動を阻止する阻止手段が設けられている。この阻止手段は、回動体を第一位置から第二位置側へ強制的に回動させるための外力が加えられたとき、（例えば回動体アクチュエータの駆動部を変位させることにより）回動体が第二位置へ回動しても、規制体が第二規制位置まで達しないようにその移動を阻止する。これにより、不正行為により回動体に外力が加えられて入賞率が相対的に低くなる位置から高くなる位置に強制的に回動されても、遊技球の入賞を阻止して賞球の不正な獲得を防止することができる。また、回動体の第一位置と第二位置との間の回動と組み合わせることによって、規制体の第一規制位置と第二規制位置との間の移動を入賞率の高低変化に寄与させて、遊技に対する興趣を高めることも可能となる。
【００１０】
次に、上記課題を解決するために、本発明の遊技機用可変入賞装置の第一の具体的態様は、
遊技機の遊技盤に固定され、その遊技盤上の遊技球を受け入れるための入賞口を有する遊技機用可変入賞装置であって、
遊技盤と交差する一対の平行な回動軸線周りに回動可能に取り付けられ、入賞口の開口態様を変更するために、遊技球の入賞率が相対的に低くなる第一位置とその入賞率が相対的に高くなる第二位置との間で回動する一対の回動体と、
その一対の回動体を第一位置と第二位置との間で同時に回動させるために、直線的に変位する駆動部を有する回動体アクチュエータと、
その回動体アクチュエータの駆動部の直線的な移動を各回動体の回転移動に変換して伝達する回動体伝動機構と、
入賞口及び一対の回動体の上方に配置され、一対の回動体によって開口態様が変更された入賞口への入賞を規制するために、入賞口を覆う第一規制位置とその入賞口を露出させる第二規制位置との間を遊技盤と交差する方向に直線的に移動する規制体と、
その規制体を第一規制位置と第二規制位置との間で、一対の回動体とは独立して移動させるための規制体アクチュエータと、
その規制体アクチュエータの駆動力を規制体に伝達する規制体伝動機構とを備え、
一対の回動体が第一位置にあり、かつ規制体が第一規制位置にあって遊技球の入賞が最も困難な状態において、一対の回動体を第一位置から第二位置側へ強制的に回動させるための外力が加えられたとき、一対の回動体が回動体アクチュエータの駆動部を変位させて第二位置へ回動した場合であっても、規制体が第二規制位置に達しないように、規制体アクチュエータ及び／又は規制体伝動機構が、その規制体の移動を阻止する阻止手段を構成することを特徴とする。
【００１１】
上記遊技機用可変入賞装置には、入賞口の開口態様を変更する一対の回動体とその入賞口への入賞を規制する規制体とが組み込まれるとともに、規制体の移動を阻止する阻止手段として、規制体アクチュエータや規制体伝動機構が設けられている。この規制体アクチュエータ（規制体伝動機構）は、回動体を第一位置から第二位置側へ強制的に回動させるための外力が加えられたとき、回動体アクチュエータの駆動部を変位させることにより回動体が第二位置へ回動しても、規制体が第二規制位置まで達しないようにその移動を機械的に阻止する。これにより、不正行為により回動体に外力が加えられて入賞率が相対的に低くなる位置から高くなる位置に強制的に回動されても、遊技球の入賞を阻止して賞球の不正な獲得を防止することができる。また、規制体は回動体とは独立して移動するので、回動体の第一位置と第二位置との間の回動と組み合わせることによって、規制体の第一規制位置と第二規制位置との間の移動を入賞率の高低変化に寄与させて入賞率の多彩化を図り、遊技に対する興趣を高めることが容易となる。
【００１２】
この場合、一対の回動体は回動体伝動機構を介して回動体アクチュエータに連結されるとともに、規制体は規制体伝動機構を介して規制体アクチュエータに連結され、一対の回動体が第一位置に移動したとき規制体を第一規制位置に移動して遊技球の入賞が最も困難な状態とする一方、一対の回動体が第二位置に移動したとき規制体を第二規制位置に移動して遊技球の入賞が最も容易な状態とすることができる。このように、規制体の規制位置を一対の回動体の開口位置と関連付けて組み合わせ、規制体の移動を入賞率の高低変化に寄与させることにより、入賞率に大幅な格差を設けて興趣を一層高めることができる。
【００１３】
また、規制体は、一対の回動体が第一位置と第二位置との間を移動するのとは無関係に、第一規制位置と第二規制位置との間を移動し、かつそれら両位置の中途位置で停止可能とすることが望ましい。規制体が中途位置で停止可能とすることにより、規制体の移動を入賞率の高低変化に一層深く寄与させることとなるので、さらに入賞率の多彩化を図ることができる。
【００１４】
また、規制体アクチュエータは、電動モータで構成することができる。さらに、規制体伝動機構は、中間部が回動支点として支持され、かつ一端部が電動モータの出力軸に、他端部が規制体にそれぞれ直接に又は他部材を介して間接的に支承される回動レバーを含み、電動モータの出力軸が所定角度回転すると、回動レバーが回動支点を中心として回動し、その回動レバーの回動を規制体の直線的な移動に変換しつつ伝動するように構成することができる。電動モータの出力軸の回転を回動レバーが同時（直接）に規制体の直線的な移動に変換させるので、エネルギーロスが少なく、簡素で小型コンパクトに構成することができる。
【００１５】
そして、上記課題を解決するために、本発明の遊技機用可変入賞装置の第二の具体的態様は、
遊技機の遊技盤に固定され、その遊技盤上の遊技球を受け入れるための入賞口を有する遊技機用可変入賞装置であって、
遊技盤と交差する一対の平行な回動軸線周りに回動可能に取り付けられ、入賞口の開口態様を変更するために、遊技球の入賞率が相対的に低くなる第一位置とその入賞率が相対的に高くなる第二位置との間で回動する一対の回動体と、
その一対の回動体を第一位置と第二位置との間で同時に回動させるために、直線的に変位する駆動部を有する回動体アクチュエータと、
その回動体アクチュエータの駆動部の直線的な移動を各回動体の回転移動に変換して伝達する回動体伝動機構と、
入賞口及び一対の回動体の上方に配置され、一対の回動体によって開口態様が変更された入賞口への入賞を規制するために、入賞口を覆う第一規制位置とその入賞口を露出させる第二規制位置との間を遊技盤と交差する方向に直線的に移動する規制体と、
回動体アクチュエータの駆動部の直線的な移動を、その駆動部と平行な面内において規制体が第一規制位置と第二規制位置との間で直線的に移動するように、相互に連動させて伝達する規制体連動機構とを備え、
一対の回動体が第一位置にあり、かつ規制体が第一規制位置にあって遊技球の入賞が最も困難な状態において、一対の回動体を第一位置から第二位置側へ強制的に回動させるための外力が加えられたとき、一対の回動体が回動体アクチュエータの駆動部を変位させて第二位置へ回動した場合であっても、規制体が第二規制位置に達する前に、回動体伝動機構に対向配置された停止部が回動体伝動機構及び規制体連動機構の移動を停止することにより、その停止部は規制体の移動を阻止する阻止手段を構成することを特徴とする。
【００１６】
上記遊技機用可変入賞装置には、入賞口の開口態様を変更する一対の回動体とその入賞口への入賞を規制する規制体とが組み込まれるとともに、規制体の移動を阻止する阻止手段として、回動体伝動機構に対向配置された停止部が設けられている。この停止部は、回動体を第一位置から第二位置側へ強制的に回動させるための外力が加えられたとき、回動体アクチュエータの駆動部を変位させることにより回動体が第二位置へ回動しても、規制体が第二規制位置に達する前に回動体伝動機構及び規制体連動機構の移動を停止して、規制体の移動を機械的に阻止する。これにより、不正行為により回動体に外力が加えられて入賞率が相対的に低くなる位置から高くなる位置に強制的に回動されても、遊技球の入賞を阻止して賞球の不正な獲得を防止することができる。また、回動体の第一位置と第二位置との間の回動と組み合わせることによって、規制体の第一規制位置と第二規制位置との間の移動を入賞率の高低変化に寄与させて、遊技に対する興趣を高めることも可能となる。なお、停止部は、例えば、回動体アクチュエータや回動体伝動機構を収容するケース部材に一体成形されて回動体伝動機構側に向けて突出するストッパで構成してもよい。
【００１７】
この場合、一対の回動体は回動体伝動機構を介して回動体アクチュエータに連結されるとともに、規制体は規制体連動機構を介して回動体アクチュエータに連結され、一対の回動体が第一位置に移動したとき規制体を第一規制位置に移動して遊技球の入賞が最も困難な状態とする一方、一対の回動体が第二位置に移動したとき規制体を第二規制位置に移動して遊技球の入賞が最も容易な状態とすることができる。このように、規制体の規制位置を一対の回動体の開口位置と関連付けて組み合わせ、規制体の移動を入賞率の高低変化に寄与させることにより、入賞率に大幅な格差を設けて興趣を一層高めることができる。
【００１８】
また、回動体アクチュエータは、ソレノイドで構成することができる。さらに、規制体連動機構は、ソレノイドの駆動部の直線的な移動を回転移動に変換する第一変換部と、規制体に一体的に固定されるとともに第一変換部に支承されてその第一変換部の回転移動を再び直線的な移動に変換する第二変換部とを含み、ソレノイドの駆動部が所定量直線移動すると第一変換部が回転移動し、その第一変換部の回転移動を第二変換部の直線移動に再変換して、規制体に伝動するように構成することができる。共通のソレノイドと規制体連動機構とを用いて、一対の回動体及び規制体を連動して（例えば同時に）駆動させることができるので、遊技機用可変入賞装置の簡素化・小型化を図ることができる。
【００１９】
また、第一変換部の具体的な一態様として、回動体伝動機構に一体的に固定され、ソレノイドの駆動部が直線的に移動したときその直線移動を回動体伝動機構とともに回転移動に変換する場合がある。第一変換部が回動体伝動機構に一体的に固定されているので、規制体への動力伝達経路が短縮され、一層簡素で小型コンパクトな構造とすることができる。
【００２０】
また、第一変換部の具体的な他の態様として、第一変換部は回動体伝動機構とは別体に形成され、その第一変換部は、中間部が回動支点として支持され、かつ一端部がソレノイドの駆動部と係合し、他端部が駆動部の移動方向と平行状に直線的に移動可能な中継移動部と係合する第一回動レバーと、中間部が他の回動支点として支持され、かつ一端部が中継移動部と係合し、他端部が規制体に係合する第二回動レバーとを含み、ソレノイドの駆動部が直線的に移動したときその直線移動を第一回動レバーの回転移動に変換し、その第一回動レバーの回転移動を一旦中継移動部の直線移動に変換した後、その中継移動部の直線移動を第二回動レバーの回転移動に再変換し、さらにその第二回動レバーの回転移動を第二変換部の直線移動に変換して、規制体に伝動する場合がある。このように２本の回動レバーにより第一変換部が構成されているので、限られたソレノイド駆動部の直線的な移動を容易に増幅することができ、小型化しても十分な規制体の移動量を確保することができる。
【００２１】
これらの遊技機用可変入賞装置において、規制体は、第一位置において一対の回動体によって形成される入賞口の遊技球最大受入幅と等価な幅寸法を有するとともに、第一規制位置において遊技盤から突出し、第一位置における遊技球最大受入幅にわたり入賞口を閉鎖して遊技球の入賞を阻止可能とすることが好ましい。このように、規制体が入賞口の遊技球最大受入幅と等価な幅寸法に構成されると入賞口を安定して閉鎖することができ、回動体に外力を加えにくく、かつ遊技球が通り抜け可能な入賞空間が形成されにくくなるので、不正防止効果が一層高まる。なお、規制体が第二規制位置において遊技盤に没入して入賞口を全面開放し、遊技球の入賞を許容する場合には、入賞率を大幅に向上させて興趣をさらに高めることができる。
【００２２】
また、このような遊技機用可変入賞装置には、遊技盤に直交する方向から見て規制体及び一対の回動体と重なり合う形で、透光性のガード板を入賞口を覆うようにかつ一対の回動体に近接して配置することができる。これにより、少なくとも規制体、一対の回動体及び入賞口がガード板に覆われるので、回動体さらには規制体に外力付加困難となり、不正行為防止に寄与する。さらには、このガード板は遊技盤上の配置物の中で最も遊技者側に近づけて配置することができるので、ガード板の表面（前面）に装飾を施したり、ＬＥＤ等の表示装置を設置したりして、意匠的効果を高めることもできる。
【００２３】
そこで、上記課題を解決するために、本発明の遊技機は、
以上のような遊技機用可変入賞装置が遊技盤に固定配置されたことを特徴とする。
【００２４】
これによって、不正行為による賞球の不正な獲得を防止できるとともに、興趣に富む盤面構成を有する遊技機を実現することができる。
【発明を実施するための最良の形態】
【００２５】
（実施例１）
以下、本発明の実施形態を、図面を参照しつつ説明する。図１は本発明に係る遊技機用可変入賞装置を備えた遊技機を例示する正面図、図２は本発明に係る遊技機用可変入賞装置の一例を示す正面図、図３は通常時における平面図、正面図、側面図及び斜視図である。図１及び図２に示すように、本発明の遊技機用可変入賞装置としての電動チューリップ１は台板２を有し、その台板２は、遊技機１００の遊技盤１０１の盤面１０１ａにおいて、中央の液晶表示部１０２の下方に前方側（遊技者側）から固定配置されている（本実施例においては右下に配置されている）。
【００２６】
電動チューリップ１は、図３に示すように、一対の回動翼片１０，１０（回動体）と回動翼片伝動機構２０（回動体伝動機構）とソレノイド３０（回動体アクチュエータ）とスライド板４０（規制体）と電動モータ５０（規制体アクチュエータ；阻止手段）とスライド板伝動機構６０（規制体伝動機構）とを有している。
【００２７】
一対の回動翼片１０，１０は、台板２と交差（例えば直交）する一対の平行な回動軸線Ｏ１，Ｏ１周りに回動可能に台板２（図２参照）へ取り付けられて、その間に入賞口７を形成する。回動翼片１０，１０は、遊技球（以下、玉ともいう）の入賞率が相対的に低くなる第一位置（図５参照；以下、閉鎖位置ともいう）と、その入賞率が相対的に高くなる第二位置（図４、図６参照；以下、開放位置ともいう）との間で回動することによって、入賞口７の開口態様を変更する。
【００２８】
具体的には、回動翼片１０，１０は、自身に形成された支持軸挿入穴１０ｂと、台板２に形成された支持軸挿入穴（図示せず）とに支持軸１０ｃが挿入されて、支持されている。これにより、回動翼片１０，１０は、支持軸１０ｃ，１０ｃの回動軸線Ｏ１，Ｏ１周りに回動可能に支持されている。そして、２つの回動翼片１０，１０の回動軸線Ｏ１，Ｏ１は平行関係にある。また、支持軸１０ｃ，１０ｃにより回動翼片１０，１０が支持された状態にて台板２が遊技盤１０１に固定される（図２参照）。
【００２９】
ソレノイド３０は、複数の直線変位位置（例えば後述する２位置）に変位可能なプランジャ３７（駆動部；図７参照）を有し、ハウジング３５に収容されている。回動翼片伝動機構２０は、プランジャ３７の前後方向への直線的な移動を回動翼片１０の回転移動に変換する伝動部材２１を含み、ソレノイド３０の駆動力を回動翼片１０に伝達している。その伝動部材２１の回転変位は、さらに回動翼片１０，１０の回動軸線Ｏ１，Ｏ１周りの回転変位に変換するように構成されている。
【００３０】
なお、図７に示すように、通電解除状態においてプランジャ３７は、圧縮コイルばね３９（付勢部材）の付勢力により（具体的には、圧縮コイルばね３９がプランジャ３７に一体形成されたフランジ部３７ａ，３７ａ（プランジャヘッド）を押し出すことにより）、前方側に押し出されるようになっている。一方、通電状態においては、プランジャ３７は圧縮コイルばね３９の付勢力に抗してコイル部３１内部に引き込まれる。また、プランジャ３７のフランジ部３７ａ，３７ａの間に伝動部材２１に形成された一対の突起２１ｂ，２１ｂが嵌められている。
【００３１】
図３に戻り、伝動部材２１は、間隔部材２１ｃと、この間隔部材２１ｃの両端に配置された左右一対の伝動アーム２１ｄ，２１ｄとを有している。伝動アーム２１ｄ，２１ｄの両外側に突出して、台板２に平行な沿う軸線を有する一対の回動軸２１ｅ，２１ｅが設けられている。ハウジング３５に形成された回動軸挿入孔３５ａ，３５ａに回動軸２１ｅ，２１ｅが挿入されている。そして、伝動アーム２１ｄが回動することにより、先端二股状の作用部２１ａが変位（ほぼ上下方向に変位）して回動翼片１０の突出部１０ａを追従移動（回動軸線Ｏ１周りに回動）させ、回動翼片１０が回動することとなる。
【００３２】
このように、回動翼片１０に形成される被作用部は、その回動翼片１０において台板２の後方側に突出形成される突出部１０ａを有している。そして、伝動アーム２１ｄの作用部２１ａは、突出部１０ａに対応する位置に設けられ、ソレノイド３０のプランジャ３７（図７参照）と連動して被作用部（突出部１０ａ）に作用するように構成されている。なお、回動翼片１０は、支持軸１０ｃの回動軸線Ｏ１周りに自重により開放位置側へと回転しようとするのを、伝動アーム２１ｄの作用部２１ａの支持（接触）により閉鎖位置で保持されている。
【００３３】
次に、スライド板４０は、入賞口７及び回動翼片１０の上方に配置され、台板２と交差（例えば直交）する方向に直線的に移動可能に取り付けられている。このスライド板４０は、台板２の貫通孔２ｃ（図２参照）から前方へ突出して入賞口７を覆い閉鎖して玉の入賞を阻止可能である第一規制位置（図６参照；以下、突出位置ともいう）と、台板２の貫通孔２ｃに没入してその入賞口７を露出し全面開放して玉の入賞を許容する第二規制位置（図４、図５参照；以下、没入位置ともいう）との間で移動する。これにより、スライド板４０は、回動翼片１０によって開口態様が変更される入賞口７への入賞を規制又は規制解除する。
【００３４】
電動モータ５０は、台板２から後方へ離間した位置に配置固定され、複数の回転変位位置（例えば後述する２位置）の間で回転可能に制御される回転円板６３が取り付けられる出力軸５１を有している。スライド板伝動機構６０は、電動モータ５０の出力軸５１の回転をスライド板４０の直線的な移動に変換する回動レバー６２を含み、電動モータ５０の駆動力をスライド板４０に伝達している。
【００３５】
続いて、電動モータ５０の駆動により作動するスライド板４０は、板状形態をなし、上記一対の回動翼片１０，１０が閉鎖位置のときに形成される入賞口７の玉最大受入幅Ｗと等価な幅寸法Ｌ（図３（ｂ）ではＬはＷよりわずかに小）を有する。その結果、スライド板４０の両端部が、閉鎖位置における回動翼片１０，１０の最頂部となる位置に対応して配置される。そして、スライド板４０は、正面視で中央部が上方に膨出する形で湾曲して形成され、スライド板４０の上面はその両端部で閉鎖位置における回動翼片１０，１０の最頂部に連なるように構成されている。これにより、スライド板４０のへりに玉が衝突した際にも自然な動きで跳ね返らせることができる。ひいては、外観品質（意匠）も高まる。
【００３６】
スライド板４０の後方側（遊技者からみて奥側）には、スライド板４０から上方に立ち上がる板状のガイド部４１が一体的に形成されている。ガイド部４１の上部（スライド板４０より上方に位置する部分）には、上面（例えば上面中央）に突起状のスライドピン４１ａが設けられている。また、ガイド部４１には前後方向（厚み方向）に貫通する左右一対のガイド孔４１ｂ，４１ｂが設けられている。ガイド孔４１ｂ，４１ｂは、ハウジング３５の前端面（支持部３５ｂ，３５ｂ）と台板２の後端面とで挟持された一対のガイド軸６４，６４にそれぞれ摺動可能に挿通されている。ガイド軸６４，６４は、台板２に直交（交差）する互いに平行な軸線Ｏ２，Ｏ２を有する。なお、ガイド部４１は、スライド板４０の突出位置において台板２からの突出量を規制するとともに、その没入位置において貫通孔２ｃ（図２参照）からのスライド板４０の抜けを防止する。
【００３７】
ここで、ガイド部４１（スライドピン４１ａ及びガイド孔４１ｂ）及びガイド軸６４は、スライド板伝動機構６０の一部を構成している。また、スライド板伝動機構６０は、電動モータ５０の駆動力をスライド板４０に伝達する回動レバー６２と、電動モータ５０の出力軸５１に固定される偏心ピン６３ａ付き回転円板６３とを含み構成されている。
【００３８】
回動レバー６２は、中間部で台板２に平行な沿う回動軸ピン６１の軸線Ｏ３周りに回動可能に支持されている。回動レバー６２の両端には、軸線Ｏ３方向に貫通し、自身の長手方向に拡がる長孔６２ａ，６２ｂがそれぞれ形成されている。長孔６２ａ，６２ｂのうち、一方は電動モータ５０からの駆動力が伝達入力される入力長孔６２ａ（入力側係合凹部）として偏心ピン６３ａ（入力側係合凸部）と係合し、他方はスライド板４０に該駆動力を伝達出力する出力長孔６２ｂ（出力側係合凹部）としてスライドピン４１ａ（出力側係合凸部）と係合している。すなわち、回動レバー６２の入力長孔６２ａには、回転円板６３に形成される偏心ピン６３ａが移動可能に挿通され、出力長孔６２ｂには、スライド板４０（ガイド部４１）に形成されるスライドピン４１ａが移動可能に挿通されるとともに、その中間部を回動軸ピン６１で支承されている。なお、係合凹部６２ａ（又は６２ｂ）と係合凸部６３ａ（又は４１ａ）とは互いに入れ替えて実施してもよい。
【００３９】
回転円板６３は、電動モータ５０の出力軸５１に取り付けられ、台板２に沿う（軸線Ｏ３に平行な）軸線Ｏ４周りに回動可能に固定されており、その上面には軸線Ｏ４から径方向にシフト（オフセット）した位置に該軸線Ｏ４に沿った突起状の偏心ピン６３ａが形成されている。回転円板６３の周縁部には、所定角度範囲で半径方向に拡がる拡張部６３ｂが形成され、その拡張部６３ｂの外周縁部には、下方に延出する延出部６３ｃが形成されている。
【００４０】
また、延出部６３ｃを挟む内外の位置に、フォトセンサ６７（回転停止位置検出器）の発光部６７ａと受光部６７ｂとが向かい合わせて配置され、延出部６３ｃは、発光部６７ａと受光部６７ｂとの間を出力軸５１の軸線Ｏ４周りで回動する。したがって、延出部６３ｃが発光部６７ａから受光部６７ｂへの光ビームを遮る回動範囲で回転円板６３が回動するように、フォトセンサ６７で電動モータ５０のオン／オフが制御される。
【００４１】
スライド板伝動機構６０は、電動モータ５０の出力軸５１が所定角度（延出部６３ｃの形成角度範囲）で回転すると、回動レバー６２が回動軸ピン６１の軸線Ｏ３周りで回動し、その回動レバー６２の回動をスライド板４０の直線的な移動に変換しつつ伝動する。すなわち、回転円板６３の偏心ピン６３ａの回転変位（ここでは出力軸５１の軸線Ｏ４周りの回転変位）を入力長孔６２ａでガイドして回動レバー６２の回転変位（ここでは回動軸ピン６１の軸線Ｏ３周りの回転変位）に変換し、さらにその回動レバー６２の回転変位を出力長孔６２ｂでスライドピン４１ａをガイドして、スライド板４０の盤面前後方向への直線変位に変換する。
【００４２】
したがって、偏心ピン６３ａが回転円板６３の所定回転角度範囲内（延出部６３ｃの形成角度範囲）において台板２から相対的に最も離れた位置にあるとき、回動レバー６２の回動によりスライドピン４１ａがガイド部４１の所定移動範囲内において台板２から相対的に最も近い位置となる。このときスライド板４０は突出位置にある（図３（ｃ），図６（ｂ）参照）。逆に、偏心ピン６３ａが回転円板６３の所定回転角度範囲内において台板２から相対的に最も近い位置にあるとき、スライドピン４１ａがガイド部４１の所定移動範囲内において台板２から相対的に最も離れた位置となる。このときスライド板４０は没入位置にある（図４（ｂ），図５（ｂ）参照）。
【００４３】
回動レバー６２における回動軸ピン６１（軸線Ｏ３）の支承位置を変更することでスライド板４０の直線的な移動量を調整することができる。すなわち、回動軸ピン６１から入力長孔６２ａまでの距離よりも回動軸ピン６１から出力長孔６２ｂまでの距離を長くするとスライド板４０の移動量は相対的に増加する。反対に短くすると移動量は相対的に減少する。
【００４４】
なお、台板２には入賞口７に入賞した玉の通路となる流通路２ａが後方ほど低くなるように形成されている。その流通路２ａの後端部下方には、入賞検知手段として近接スイッチ８０がハウジング３５の下方で固定されて設けられている。近接スイッチ８０には入賞口７に入賞した玉が通過する通過孔（図示せず）が形成されており、その通過孔を玉が通過したときに近接スイッチは賞球払出のための検出信号を出力する。
【００４５】
また、ハウジング３５の前端部には、外側に突出して一対の取付け部３５ｃ，３５ｃが設けられている。一方で台板２には、そのハウジング３５の取付け部３５ｃ，３５ｃに対応して後方に突出した取付け部（図示せず）が設けられ、台板２にハウジング３５が相互の取付け部を締結部材（例えばねじ、ビス、ボルト等）で締結することによって固定される。
【００４６】
次に、このような構成を有する電動チューリップ１の作動を説明する。電動チューリップ１は、所定条件（抽選に当選したとき等）となったときに、ソレノイド３０が通電状態となり回動翼片１０，１０を開放させ、同時に電動モータ５０が通電状態となりスライド板４０を没入させる。
【００４７】
まず、電動チューリップ１の第一状態として、図３に示すように、回動翼片１０が閉鎖位置にあり、スライド板４０が突出位置にある。すなわち、玉の入賞が最も困難な状態である。したがって、第一状態は通常状態（通常の遊技状態）として利用される。
【００４８】
この通常状態から、ソレノイド３０が通電状態になると、プランジャ３７（図７参照）がソレノイド３０内部に引き込まれる。それによって伝動部材２１（伝動アーム２１ｄ）が回動軸２１ｅを中心として図３（ｃ）において時計回りに回動する。伝動部材２１の回動により回動翼片１０の突出部１０ａと接触する作用部２１ａの押さえ（支持）が解除され、突出部１０ａが作用部２１ａに追従する形で回動翼片１０が開放位置に移動する（図４（ｂ）参照）。
【００４９】
同時に、電動モータ５０が通電状態となり、出力軸５１（軸線Ｏ４）を介して回転円板６３が図３（ａ）において反時計回りに回動される。それによって、回動レバー６２が回転軸ピン６１（軸線Ｏ３）を回転中心として時計回りに回動される。そして、スライド板４０がガイド軸６４（軸線Ｏ２）に沿って直線的に没入位置まで移動する（図４（ｃ）参照）。
【００５０】
これにより、図４に示すように、電動チューリップ１は、回動翼片１０が開放位置、スライド板４０が没入位置へと変位し、玉の入賞が最も容易な状態となる第二状態へと移行する。この第二状態は、大当たり状態として利用できる。
【００５１】
また、電動チューリップ１は、通常状態（図３）から、図５に示すように、回動翼片１０を閉鎖位置の状態で維持し、スライド板４０のみを没入位置へと変位させて第三状態へと移行可能である。この第三状態は、例えば第二状態に次いで入賞率の高い中当たり状態として利用できる。
【００５２】
さらに、電動チューリップ１は、通常状態（図３）から、図６に示すように、スライド板４０を突出位置の状態で維持し、回動翼片１０を開放位置へと変位させて第四状態へと移行可能である。この第四状態は、例えば第一状態に次いで入賞率の低い小当たり状態として利用できる。
【００５３】
ここで、電動チューリップ１における第四状態（図６）が、針金などの異物を使用して、入賞率が高くなるように回動翼片１０を強制的に回動する不正行為が行われた場合に、その不正による賞球の獲得を防止する状態ともなる。すなわち、フォトセンサ６７は、スライド板４０が突出位置で待機するように延出部６３ｃの回転位置を規制している。したがって、図６（ａ）に示すように回動翼片１０に外力Ｆが加えられても、電動モータ５０がスライド板４０の没入位置への移動を阻止する阻止手段として機能する。また、仮に回動翼片１０に加えられた外力等の作用によって延出部６３ｃが規制位置（通常状態）からずれた場合でも、フォトセンサ６７が異常を検出することによって不正行為の発生を報知することができる。このように、強制的に加えられた外力によって回動翼片１０が開放位置に変位した場合でもスライド板４０の没入位置への変位を阻止して不正行為に基づく不正入賞（不正賞球の獲得）を防止することができる。
【００５４】
なお、図７に示すように、電動モータ５０（ステッピングモータ）の作動ステップ数を調整してスライド板４０を突出位置と没入位置との間で段階的に停止させてもよい。これによって、入賞率をさらなる多彩化を図ることができる。また、拡張部６３ｂの延出部６３ｃの所定位置にスリットを設け、そのスリットを介してフォトセンサ６７の発光部６７ａから発光される光ビームを受光部６７ｂで受光させ、スライド板４０を所定位置（所定突出量）で停止させてもよい。
【００５５】
（実施例２）
次に、本発明の遊技機用可変入賞装置に係る別の実施形態を、図面を参照しつつ説明する。図８は通常時における要部の平面図、正面図、側面図及び斜視図、図９は大当たり状態における平面図、正面図、側面図及び斜視図、図１０は規制体の移動阻止状態における平面図、正面図、側面図及び斜視図、図１１は図１０（ｃ）の側面中央断面図、図１２は図８の遊技機用可変入賞装置にガード板を取り付けた例を示す斜視図である。なお、実施例２において、以下の説明では、上述した実施例１の実施形態と異なる部分について主に述べ、重複する部分については同番号を付して説明を省略または簡略化する。
【００５６】
電動チューリップ１Ａは、図８に示すように、一対の回動翼片１０，１０（回動体）と回動翼片伝動機構２０（回動体伝動機構）とソレノイド３０（回動体アクチュエータ）とスライド板４０（規制体）とスライド板連動機構７０Ａ（規制体連動機構）とを有している。
【００５７】
図８に示すように、スライド板連動機構７０Ａは、ソレノイド３０のプランジャ３７の前後方向への直線的な移動を回転移動に変換する第一変換部と、第一変換部の回転移動を再び直線的な移動に変換する第二変換部とを含み構成されている。この実施例では、第一変換部は、左右一対の伝動アーム２１ｄ，２１ｄ、及びそれらの上部から斜め前方へそれぞれ延出形成された左右一対のガイドアーム２１ｆ，２１ｆを含む。また、第二変換部は、左右一対のガイドアーム２１ｆ，２１ｆにそれぞれ形成されるスライド孔２１ｇ，２１ｇ、及びスライド板４０側で一体的に固定されるとともにスライド孔２１ｇ，２１ｇにそれぞれ係合して支承される左右一対のガイドピン４１ｄ，４１ｄを含む。ソレノイド３０のプランジャ３７が所定量直線移動するとガイドアーム２１ｆ，２１ｆが回転移動し、そのガイドアーム２１ｆ，２１ｆ（スライド孔２１ｇ，２１ｇ）の回転移動をガイドピン４１ｄ，４１ｄを形成するガイド部４１の直線移動に再変換して、スライド板４０に伝達する。
【００５８】
上記したように、ガイドアーム２１ｆは、回動翼片伝動機構２０を構成する伝動部材２１の伝動アーム２１ｄ，２１ｄに一体的に形成されている。具体的には、ガイドアーム２１ｆは、伝動アーム２１ｄのスライド板４０に対応する位置で、その伝動アーム２１ｄから延出しつつ先端で方向変換して伝動アーム２１ｄに戻り、全体としてＵ字状に形成されている。そして、ガイドアーム２１ｆ及び伝動アーム２１ｄに囲まれて、ガイドピン４１ｄ（係合凸部）と係合するスライド孔２１ｇ（係合凹部）が形成されている。
【００５９】
ガイドピン４１ｄは台板２に平行な（沿う）軸線を有し、ガイド部４１の後部に形成されたガイドピン形成部４１ｃの両外側に突出して形成されている。ガイドピン４１ｄは、ガイドアーム２１ｆに形成されたスライド孔２１ｇに摺動可能に挿入されている。ガイドアーム２１ｆ（伝動アーム２１ｄ）は、回動軸２１ｅ，２１ｅの軸線周りに回動可能に支持され、ガイドアーム２１ｆ（スライド孔２１ｇ）が変位するとガイドピン４１ｄに作用してスライド板４０（ガイド部４１）がガイド軸６４（軸線Ｏ２）に沿って移動する。このとき、上述のように伝動アーム２１ｄの回動により回動翼片１０が回動しているから、スライド板４０と回動翼片１０とは連動して変位する。
【００６０】
このように、一対の回動翼片１０，１０は回動翼片伝動機構２０を介してソレノイド３０に連結されるとともに、スライド板４０はスライド板連動機構７０Ａを介してソレノイド３０に連結されている。すなわち、スライド板連動機構７０Ａは、ソレノイド３０のプランジャ３７の前後方向への直線的な移動を、スライド板４０が突出位置と没入位置との間で直線的に移動するように、回動翼片１０の回動に連動させて伝達する。これによって、回動翼片１０，１０が閉鎖位置に移動したときスライド板４０は突出位置に移動して玉の入賞が最も困難な状態となる。一方、回動翼片１０，１０が開放位置に移動したときにスライド板４０は没入位置に移動して玉の入賞が最も容易な状態となる（図９参照）。
【００６１】
なお、第二変換部において、係合凸部（ガイドピン４１ｄ）と係合凹部（スライド孔２１ｇ）とは互いに入れ替えて実施してもよい。
【００６２】
また、図１１に示すように、台板２には、回動翼片伝動機構２０が移動した場合に、スライド板連動機構７０Ａの移動を停止するために、その回動翼片伝動機構２０に対向配置された阻止手段としてのストッパ部２ｂ（停止部）が設けられている。例えば、ストッパ部２ｂは、台板２を切り欠いて形成することができ、自重により回転する一対の回動翼片１０，１０を所定の開放位置となるときに突出部１０ａが接触して回動を規制する位置に設けてある。これによって、図１１（ｂ）に示すように、一対の回動翼片１０，１０を破線で示す突出部１０ａとなる閉鎖位置から実線で示す突出部１０ａとなる開放位置側へ強制的に回動させるための外力Ｆ（図１０参照）が加えられたとき、回動翼片１０，１０がソレノイド３０のプランジャ３７を変位させて開放位置へ回動した場合であっても、スライド板４０が没入位置に達しない。なお、ストッパ部２ｂは、台板２の別体として台板２又はハウジング３５の所定位置に形成してもよい。
【００６３】
次に、図１２に示すように、本実施例に係る電動チューリップ１Ａには、遊技盤１０１（図１参照）に直交する方向から見てスライド板４０及び一対の回動翼片１０，１０と重なり合う形で、透光性（図中においては不透明で作図されている）のガード板３が入賞口７を覆うようにかつ一対の回動翼片１０，１０に近接して配置されている。ガード板３は、スライド板４０が突出位置に停止したときの先端よりも遊技者側に位置している。これにより、スライド板４０が不正行為により直接没入位置側へと押し込まれることを抑制・防止することができ、不正防止効果が高まる。なお、実施例１では、このガード板３を省略した態様のみ説明したが、用いた態様としてもよい。また後述する実施例３においても同様に用いた態様としてもよい。
【００６４】
次に、このような構成を有する電動チューリップ１Ａの作動を説明する。電動チューリップ１Ａは、所定条件（抽選に当選したとき等）となったときに、ソレノイド３０が通電状態となり、回動翼片１０及びスライド板４０を開放及び没入させる。
【００６５】
まず、電動チューリップ１Ａの第一状態として、図８に示すように、回動翼片１０が閉鎖位置にあり、スライド板４０が突出位置にある。すなわち、玉の入賞が相対的に困難な状態である。したがって、第一状態は通常状態（通常の遊技状態）として利用される。
【００６６】
この通常状態から、ソレノイド３０が通電状態になると、プランジャ３７がコイル部３１内部に引き込まれる。それによって伝動部材２１（作用部２１ａ及びガイドアーム２１ｆ）が回動軸２１ｅを中心として図８（ｃ）において時計回りに回動する。そして、回動翼片１０が開放位置へ回動し、スライド板４０が没入位置へ移動する。すなわち、図９に示すように玉の入賞が相対的に容易な状態となる第二状態へと移行する。この第二状態は、大当たり状態として利用できる。
【００６７】
通常状態から大当たり状態に移行するとき、回動翼片１０は、突出部１０ａに作用（付勢支持）していた伝動アーム２１ｄの作用部２１ａがほぼ上方に移動して、作用部２１ａに突出部１０ａが追従する形で回動する。一方でスライド板４０は、ガイド部４１の被ガイドピン４１ｄが挿入されているガイドアーム２１ｆ（スライド穴２１ｇ）が回動して、ガイド軸６４に沿って移動する。
【００６８】
図１０及び図１１は、プランジャ３７の引き込み中途位置の第三状態を示す。この第三状態は、台板２に形成されたストッパ部２ｂ（図１１参照）に突出部１０ａが当接して、回動翼片１０の回動が規制される状態である。この状態でプランジャ３７は引ききっておらず、さらにコイル部３１内部に引き込まれる。したがって、回動翼片１０が開放位置となった状態で突出部１０ａは作用部２１ａに追従しなくなり、ガイドアーム２１ｆ（伝動アーム２１ｄ）がさらに回動してスライド板４０が没入位置へと移動し、図９に示す第二状態へ移行する。換言すれば、回動翼片１０，１０は、突出部１０ａがストッパ部２ｂに接触する位置（開放位置でもある）で回動規制されている。
【００６９】
ところで、図１０及び図１１の第三状態はスライド板４０の移動阻止状態を示してもいる。すなわち、不正行為により回動翼片１０に外力Ｆが加えられ、回動翼片１０が図８に示す閉鎖位置から図１１（図１０）に示す開放位置に強制的に回動させられたとき、ストッパ部２ｂが回動翼片１０の突出部１０ａの上方移動を阻止する。突出部１０ａの上方移動が停止することによって、スライド板連動機構７０Ａの移動も阻止されるため、スライド板４０は図９に示す没入位置に達しない。これにより、十分な不正防止対策機能を有し、第三状態はスライド板４０の移動阻止状態となる。
【００７０】
なお、大当たり状態から通常状態に移行するときは、上記した通常状態（図８）から大当たり状態（図９）への変位と逆の作動をする。図１１（図１０）に示すように、プランジャ３７が圧縮コイルばね３９の付勢力によりコイル部３１外部に押し出され、これにつれて伝動部材２１（伝動アーム２１ｄ及びガイドアーム２１ｆ）が回動軸２１ｅを中心として反時計回りに回動する。このとき、図９に示す大当たり状態から図１１（図１０）に示す中途状態までは、ガイドアーム２１ｆによりスライド板４０のみが突出移動し、図１１（図１０）の中途状態になったときにストッパ部２ｂに接触している突出部１０ａを作用部２１ａが押し始めて図８に示す通常状態へと変位する。
【００７１】
（実施例３）
次に、本発明の遊技機用可変入賞装置に係るさらに別の実施形態を、図面を参照しつつ説明する。図１３は通常時における要部の平面図、正面図、側面図及び斜視図、図１４は大当たり状態における平面図、正面図、側面図及び斜視図、図１５は規制体の移動阻止状態における平面図、正面図、側面図及び斜視図である。なお、実施例３においても、以下の説明では、上述した実施例１の実施形態と異なる部分について主に述べ、重複する部分については同番号を付して説明を省略または簡略化する。
【００７２】
電動チューリップ１Ｂは、図１３に示すように、一対の回動翼片１０，１０（回動体）と回動翼片伝動機構２０（回動体伝動機構）とソレノイド３０（回動体アクチュエータ）とスライド板４０（規制体）とスライド板連動機構７０Ｂ（規制体連動機構）とを有している。
【００７３】
スライド板連動機構７０Ｂは、ソレノイド３０のプランジャ３７の前後方向への直線的な移動を回転移動に変換する第一変換部と、第一変換部の回転移動を再び直線的な移動に変換する第二変換部とを含み構成されている。この実施例では、第一変換部は、中間部で台板２に平行な（沿う）軸線Ｏ５を有する第一回動軸ピン７１を回動支点として回動可能に支持され、かつ一端部がソレノイド３０のプランジャ３７に係合される第一回動レバー７２と、台板２に直交する方向（プランジャ３７の移動方向）に平行状に直線的に移動可能で、かつ第一回動レバー７２の他端部が係合される中継移動部７４と、中間部で台板２に平行な（沿う）軸線Ｏ６（軸線Ｏ５に平行）を有する第二回動軸ピン７５を回動支点として回動可能に支持され、かつ一端部が中継移動部７４と係合し、他端部がスライド板４０（スライドピン４１ａ）に係合する第二回動レバー７６とを含む。また、第二変換部は、第二回動レバー７６に形成される出力長孔７６ｂ、及びスライド板４０側で一体的に固定されるとともに出力長孔７６ｂに係合して支承されるスライドピン４１ａを含む。
【００７４】
第一回動レバー７２及び第二回動レバー７６は、前述した回動レバー６２に構造上重複するため、詳細な説明を省略する。なお、第一回動レバー７２のソレノイド３０のプランジャ３７に係合される一端部には入力長孔（係合凹部）の代わりに入力ピン７２ａ（係合凸部）が形成され、フランジ部３７ａ，３７ａの間に嵌合されている。したがって、プランジャ３７のフランジ部３７ａ，３７ａの間には、両側から伝動部材２１の突起２１ｂが嵌合され、上側から第一回動レバー７２の入力ピン７２ａが嵌合されることとなる。これにより、プランジャ３７の前後方向への直線的な移動変位により第一回動レバー７２は第一回動軸ピン７１を回動支点として回転する。
【００７５】
なお、第一変換部および第二変換部において、係合凹部（第一及び第二回動レバー７２，７６の長孔）と係合凸部（中継移動部の中継ピン７４ａ，７４ｂ及びガイドピン４１ａ）とは互いに入れ替えて実施してもよい。
【００７６】
中継移動部７４は、ハウジング３５と一体的な又はハウジング３５に固定される基台７３に組み付けられている。中継移動部７４は、基台７３に形成された台板２に直交する方向に延びる貫通穴７３ａに配置され、その貫通穴７３ａ内に沿って移動する。中継移動部７４は、第一回動レバー７２の出力長孔７２ｂに係合される第１中継ピン７４ａと、第二回動レバー７６の入力長孔７６ａと係合される第２中継ピン７４ｂとを備え、第一回動レバー７２と第二回動レバー７６とを連係している。中継移動部７４は、基台７３を挟み込み基台７３の上下両側で転動する車輪７４ｄ（本実施例において上側１つ、下側２つ）を備え、その車輪７４ｄは車軸７４ｃで回転可能に支持されている。
【００７７】
これによって、スライド板連動機構７０Ｂは、ソレノイド３０のプランジャ３７が前後方向へ直線的に移動したときその直線移動を第一回動レバー７２の回転移動に変換し、その第一回動レバー７２の回転移動を一旦中継移動部７４の直線移動に変換した後、その中継移動部７４の直線移動を第二回動レバー７６の回転移動に再変換し、さらにその第二回動レバー７６の回転移動をガイド部４１（ガイド軸６４）の直線移動に変換して、スライド板４０に伝達する。
【００７８】
このように、一対の回動翼片１０，１０は回動翼片伝動機構２０を介してソレノイド３０に連結されるとともに、スライド板４０はスライド板連動機構７０Ｂを介してソレノイド３０に連結されている。すなわち、スライド板連動機構７０Ｂは、ソレノイド３０のプランジャ３７の前後方向への直線的な移動を、スライド板４０が突出位置と没入位置との間で直線的に移動するように、回動翼片１０の回動に連動させて伝達する。これにより、回動翼片１０，１０が閉鎖位置に移動したときスライド板４０は突出位置に移動して玉の入賞が最も困難な状態となる。一方、回動翼片１０，１０が開放位置に移動したときにスライド板４０は没入位置に移動して玉の入賞が最も容易な状態となる（図１４参照）。
【００７９】
ここで、第一回動軸ピン７１（軸線Ｏ５）が第一回動レバー７２を軸支する位置は、第一回動軸ピン７１からプランジャ側端部までの距離よりも第一回動軸ピン７１から中継移動部側端部までの距離の方が長くなる位置に配置されている。第二回動軸ピン７５が第二回動レバー７６を軸支する位置は、第二回動軸ピン７５から中継移動部側端部までの距離よりも第二回動軸ピン７５からスライド板側端部までの距離の方が長くなる位置に配置されている。第一及び第二回動レバー７２，７６は、それぞれ第一及び第二回動軸ピン（軸線Ｏ５，Ｏ６）からの距離に比例して回動角度範囲が大きくなる。これによって、プランジャ３７の移動距離を増幅してスライド板４０に伝達している。また、２本の回動レバーを平行状に配置することで、小型化コンパクトとなる。また、スライド板４０の移動距離を十分に確保することができるので、スライド板４０の幅（奥行き方向）を十分に確保し安定して入賞口７を覆うことができる。
【００８０】
次に、このような構成を有する電動チューリップ１Ｂの作動を説明する。なお、電動チューリップ１Ｂは、実施例２の電動チューリップ１Ａとスライド板連動機構の構成を異にするが、不正防止の観点から同様の作用効果が享受される。すなわち、不正行為により回動翼片１０，１０に外力が加えられ、その回動翼片１０，１０が図１３に示す閉鎖位置から図１５に示す開放位置に強制的に回動させられたとき、ストッパ部２ｂ（停止部；図１１参照）が回動翼片１０の突出部１０ａの上方移動を規制し、スライド板４０は図１４に示す没入位置に達しない。これによって、スライド板４０は入賞口７を覆い玉の不正な入賞を阻止することが可能である。なお、通常状態（第一状態；図１３参照）、大当たり状態（第二状態；図１４参照）及び中途状態（第三状態；移動阻止状態；図１５参照）がそれぞれ対応している。
【００８１】
実施例１ないし３における構造を用いて、電動モータ（実施例１）のかわりに、又は回動翼片とスライド板の駆動アクチュエータ共用（実施例２及び３）ではなく第二のソレノイド（二連ソレノイドを含む）を用いてスライド板を移動させる構成としてもよい。
【図面の簡単な説明】
【００８２】
【図１】本発明に係る遊技機用可変入賞装置を備えた遊技機を例示する正面図。
【図２】本発明の遊技機用可変入賞装置の一例を示す正面図。
【図３】通常時における平面図、正面図、側面図及び斜視図。
【図４】大当たり状態における正面図、側面図及び斜視図。
【図５】中当たり状態における正面図、側面図及び斜視図。
【図６】小当たり状態における正面図、側面図及び斜視図。
【図７】規制体の移動による入賞率調整を示す一部破断平面図。
【図８】本発明の遊技機用可変入賞装置の他の例を示し、通常時における平面図、正面図、側面図及び斜視図。
【図９】大当たり状態における平面図、正面図、側面図及び斜視図。
【図１０】規制体の移動阻止状態における平面図、正面図、側面図及び斜視図。
【図１１】図１０（ｃ）の側面中央断面図及びＸ−Ｘ部分断面図。
【図１２】図８の遊技機用可変入賞装置にガード板を取り付けた例を示す斜視図及び側面図。
【図１３】本発明の遊技機用可変入賞装置のさらに他の例を示し、通常時における要部の平面図、正面図、側面図及び斜視図。
【図１４】大当たり状態における平面図、正面図、側面図及び斜視図。
【図１５】規制体の移動阻止状態における平面図、正面図、側面図及び斜視図。
【符号の説明】
【００８３】
１    電動チューリップ（遊技機用可変入賞装置）
２    台板
２ａ  流通路
２ｂ  ストッパ部（停止部；阻止手段）
２ｃ  貫通孔
１０  回動翼片（回動体）
１０ａ  突出部
１０ｂ  支持軸挿入穴
１０ｃ  回動翼片支持軸
２０  回動翼片伝動機構（回動体伝動機構）
２１  伝動部材
２１ａ  作用部
２１ｂ  突起
２１ｃ  間隔部材
２１ｄ  伝動アーム
２１ｅ  回動軸
２１ｆ  ガイドアーム
２１ｇ  スライド穴
３０  ソレノイド（回動体アクチュエータ）
３１  コイル部
３５  ハウジング
３７  プランジャ
３９  圧縮コイルばね（付勢部材）
４０  スライド板（規制体）
４１  ガイド部
４１ａ  スライドピン
４１ｂ  ガイド孔
４１ｃ  ガイドピン形成部
４１ｄ  ガイドピン
５０  電動モータ（規制体アクチュエータ；阻止手段）
５１  出力軸
６０  スライド板伝動機構（規制体伝導機構）
６１  回動軸ピン
６２  回動レバー
６２ａ  入力長孔
６２ｂ  出力長孔
６３  回転円板
６３ａ  偏心ピン
６３ｂ  拡張部
６３ｃ  延出部
６４  ガイド軸
７０Ａ，７０Ｂ  スライド板連動機構（規制体連動機構）
７１  第一回動軸ピン
７２  第一回動レバー
７３  基台
７４  中継移動部
７５  第二回動軸ピン
７６  第二回動レバー
１００  遊技機
Ｏ１  回動軸線
【図１】
2008132048.tif 000003
【図２】
2008132048.tif 000004
【図３】
2008132048.tif 000005
【図４】
2008132048.tif 000006
【図５】
2008132048.tif 000007
【図６】
2008132048.tif 000008
【図７】
2008132048.tif 000009
【図８】
2008132048.tif 000010
【図９】
2008132048.tif 000011
【図１０】
2008132048.tif 000012
【図１１】
2008132048.tif 000013
【図１２】
2008132048.tif 000014
【図１３】
2008132048.tif 000015
【図１４】
2008132048.tif 000016
【図１５】
2008132048.tif 000017